(57)【特許請求の範囲】
【請求項１】
毎週又は毎日同一時間帯に、同一チャンネルで放送される複数の番組を繰り返しタイマー録画させる番組信号記録装置であり、
前記放送される複数の番組に係る映像音声情報及び番組情報を受信する受信部と、
前記複数の番組を繰り返し録画すべく生成した録画予約情報を保持する録画予約情報保持部と、
前記受信部で受信した映像音声情報を記録媒体に記録する記録部とを備え、
前記受信部で受信した番組情報に基づき、繰り返し録画すべく番組が最終回であるか否かを判別し、最終回であると判別された際には、前記受信部で受信した番組情報により新たに生成した録画予約情報に基づき番組の録画を行うようにしたことを特徴とする番組信号記録装置。
【請求項２】
毎週又は毎日同一時間帯に、同一チャンネルで放送される複数の番組を繰り返しタイマー録画させる番組信号記録装置であり、
前記放送される複数の番組に係る映像音声情報及び番組情報を受信する受信部と、
前記複数の番組を繰り返し録画すべく生成した録画予約情報を保持する録画予約情報保持部と、
前記受信部で受信した映像音声情報を記録媒体に記録する記録部とを備え、
前記受信部で受信した番組情報に基づき、繰り返し録画すべく番組が新番組の第１回目放送分であるか否かを判別し、第１回目放送分であると判別された際には、第１回目放送分の映像音声情報を前記記録部で記録した後に、第２回目放送分の番組情報を検出し、検出された第２回目放送分の番組情報に基づき第２回目放送分以降の録画予約情報を生成して番組の録画を行うようにしたことを特徴とする番組信号記録装置。
【発明の詳細な説明】
【０００１】
【発明の属する技術分野】
本発明は、電子番組表の形態で送信される番組情報を利用して、タイマー録画を実行する番組信号記録装置に関する。
【０００２】
【従来の技術】
番組の開始終了日時、放送チャンネルやその他の関連情報より成る番組情報を画面表示させ、画面上で録画したい番組を選択することによりタイマー録画予約を行うＥＰＧ（Electric Program Guide）システム対応の番組信号記録再生装置が普及しつつある。そして、このようなＥＰＧシステム対応の番組信号記録再生装置の中でも、番組信号を記録再生する記録再生部にハードディスクを用いた番組信号記録再生装置では、毎週所定の曜日の同一時間帯に、同一チャンネルで放送される番組を繰り返し上書き録画する繰り返し録画機能を備えたものがある。
【０００３】
【発明が解決しようとする課題】
ところが、このような繰り返し録画機能を利用して、ドラマのような所定回数だけ放送される番組の録画を行った場合、ドラマの最終回が終了しているにも拘らず、その時間帯に放送される他の番組をその後も繰り返し録画し続けてしまうといった問題があった。つまり不要な番組を録画してしまうおそれがあった。
【０００４】
また、ドラマの最終回は、通常放送分よりも放送時間が延長される場合があるが、これまでの番組信号記録再生装置では、通常放送の時間帯部分のみを録画して延長部分を録画しなかったため、ドラマのラストシーンを録画できない場合がるといった問題があった。また、ドラマの初回放送分も放送時間が延長される場合があり、このような場合には、２回目からの放送分を適切に記録することができないといった問題があった。更に、ＥＰＧシステムを利用しているにも拘らず新番組が始まっていることに気づかず、録画の機会を逃してしまうおそれがあった。
【０００５】
本願発明は、これらの問題点に鑑みなされたものであり、ＥＰＧシステムを積極的に利用することにより番組信号記録装置の使い勝手を向上させると共に、より確実に番組を録画することのできる番組信号記録装置を提供することを目的とする。
【０００７】
【課題を解決するための手段】
以上の課題を解決するために、本発明に係る番組信号記録装置は、
毎週又は毎日同一時間帯に、同一チャンネルで放送される複数の番組を繰り返しタイマー録画させる番組信号記録装置であり、
前記放送される複数の番組に係る映像音声情報及び番組情報を受信する受信部（１）と、
前記複数の番組を繰り返し録画すべく生成した録画予約情報を保持する録画予約情報保持部（５）と、
前記受信部で受信した映像音声情報を記録媒体に記録する記録部（２）とを備え、
前記受信部で受信した番組情報に基づき、繰り返し録画すべく番組が最終回であるか否かを判別し、最終回であると判別された際には、前記受信部で受信した番組情報により新たに生成した録画予約情報に基づき番組の録画を行うようにしたことを特徴とするものである。
【０００８】
また、本発明に係る番組信号記録装置は、
毎週又は毎日同一時間帯に、同一チャンネルで放送される複数の番組を繰り返しタイマー録画させる番組信号記録装置であり、
前記放送される複数の番組に係る映像音声情報及び番組情報を受信する受信部（１）と、
前記複数の番組を繰り返し録画すべく生成した録画予約情報を保持する録画予約情報保持部（５）と、
前記受信部で受信した映像音声情報を記録媒体に記録する記録部（２）とを備え、
前記受信部で受信した番組情報に基づき、繰り返し録画すべく番組が新番組の第１回目放送分であるか否かを判別し、第１回目放送分であると判別された際には、第１回目放送分の映像音声情報を前記記録部で記録した後に、第２回目放送分の番組情報を検出し、検出された第２回目放送分の番組情報に基づき第２回目放送分以降の録画予約情報を生成して番組の録画を行うようにしたことを特徴とするものである。
【００１０】
【発明の実施の形態】
以下、本発明の実施の形態につき、好ましい実施例により詳細に説明する。
図１は本発明の実施例に係る番組信号記録装置を説明するためのブロック図であり、１は電波又は有線の伝送路を介して伝送される放送信号を受信し、選局されたチャンネルの番組信号を出力すると共に、この放送信号に重畳して伝送される番組情報を受信して、これを出力する受信機、２は受信機１で受信した番組信号をハードディスクに記録し、これを再生する記録再生部である。
【００１１】
また、３は受信機で受信した番組情報を抽出して出力する番組情報抽出部、４は装置内の各部と接続され、各部を制御する制御部、５はタイマー録画予約のための録画予約情報及び番組情報抽出部３で抽出した番組情報を蓄積する録画予約情報蓄積部、６はユーザの指示を入力するためのユーザインターフェイス（ユーザＩＦ）、７は記録再生部２が出力する番組信号にオンスクリーン情報を重畳して出力したり、記録再生部２が出力する番組信号に代わって画面情報を出力するオンスクリーンディスプレイ（ＯＳＤ）である。
【００１２】
なお、記録再生部２は、ハードディスクに記録した番組の再生時には、再生した番組信号をオンスクリーンディスプレイ７に出力するが、その他の状態では、受信機１が出力する番組信号をそのままスルーでオンスクリーンディスプレイ７に出力する。
【００１３】
以下、本発明の実施例に係る番組信号記録装置の動作について説明する。
まず、受信機１は、所定時間帯の放送信号に重畳して伝送される番組情報を、制御部４の指示に従い定期的に受信し、録画予約情報蓄積部５はこのようにして受信した最新の番組情報を保持する。
【００１４】
なお、番組情報には、放送される各番組のタイトル、開始終了日時、放送チャンネル、概要等が含まれており、更に、番組の最終回を識別するための文字情報又はフラグ等の識別情報が含まれているものとする。また、この番組情報は、一週間先までの全放送番組に対して送信されており、本番組信号記録装置は、１日に数回程度の頻度で最新の番組情報を取得し、録画予約情報蓄積部５内の番組情報を更新するものとする。
【００１５】
図２は、オンスクリーンディスプレイ７の作用により番組情報の一部を図示しないモニタ上に番組表形式で表示させた際の画面構成の一例を示す図である。例えば、ユーザがユーザインタフェイス６を介して番組表を表示させるよう指示を行うと、図２で示す如く番組表がモニタ上に表示され、ユーザは所望の番組をカーソル等で選択することにより番組のタイマー録画予約を行う。
【００１６】
この時、ユーザが選択した番組のタイトル、開始終了日時、放送チャンネルが録画予約情報として録画予約情報蓄積部５内に別途蓄積されるが、ユーザは、この録画予約設定中に、繰り返し録画機能をオンにするかオフにするかを選択する。なお、繰り返し録画機能をオンにする場合には、例えば、月曜から金曜までの毎日、毎週水曜のみ等の曜日指定も同時に行う。そして、繰り返し録画機能のオン・オフ設定及び曜日指定の情報も録画予約情報の一部として録画予約情報蓄積部５内に蓄積される。
【００１７】
ここで、ユーザが繰り返し録画機能をオフに設定した場合には、録画予約情報で設定された番組の録画完了後にこの録画予約情報が録画予約情報蓄積部５内から消去されるが、ユーザが繰り返し録画機能をオンに設定した場合には、後述の如く、最終回の放送分の録画を完了するまでは、この録画予約情報が録画予約情報蓄積部５内に保持され、この最終回の録画完了後に録画予約情報が録画予約情報蓄積部５内から消去される。
【００１８】
タイマー録画予約された番組の録画は、制御部４が録画予約情報蓄積部５内に蓄積されている録画予約情報を参照しつつ、タイマー録画予約されている番組の開始日時になっているか否かを確認し、タイマー録画予約されている番組の開始時刻になると、受信機１及び記録再生部２を制御して、番組の録画を開始させ、タイマー予約番組の終了時刻になると、受信機１及び記録再生部２を制御して、番組の録画を終了させる。
【００１９】
このようにして、録画予約情報に基づくタイマー録画動作が実行されるが、繰り返し録画機能をオンに設定した場合には、前述の番組情報の取得タイミングでタイマー録画予約されている番組が最終回であるか否かが確認され、最終回であれば、録画予約情報の生成消去が行われる。以下、繰り返し録画機能をオンに設定した際の録画予約情報の生成消去について図３を用いて説明する。
【００２０】
まず、ある番組のタイマー録画予約を行い、繰り返し録画機能をオンに設定する（Ｆ１０１）。そして、新たに番組情報を取得する時刻になると（Ｆ１０２）、受信機１が動作状態になると共に、番組情報が番組情報抽出部３で抽出され、抽出された番組情報により録画予約情報蓄積部５内の番組情報が更新される（Ｆ１０３）。
【００２１】
そして、タイマー録画予約された番組における最後の放送分の番組情報を抽出した番組情報の中で検索し（Ｆ１０４）、検索して得られた番組情報内に番組の最終回であることを示す識別情報が存在するかを確認する（Ｆ１０５）。つまり、月曜から金曜までの毎日同一時間帯に放送される番組を繰り返し録画機能をオン設定にしてタイマー録画予約し、各曜日に相当する５つの番組情報がある場合には、これら５回の放送分における最後の放送分の番組情報内に識別情報が存在するか否かを確認する。
【００２２】
そして、この識別情報が存在しなれけば、録画予約情報を変更することなしにＦ１０２の処理に戻り、識別情報が存在する場合には、最終回の録画予約情報を別途生成する（Ｆ１０６）。つまり、取得した番組情報の最後の放送分が最終回の放送分であると識別された場合には、最後の放送分の番組情報に基づき、新たに録画予約情報を生成する。従って、放送時間が延長されている場合であっても番組全体を録画することができる。
【００２３】
なお、新たに録画予約情報を生成すると、既に存在する録画予約情報と番組の録画時間が重複することになるが、このような場合には、時間的に後に生成された新たな録画予約情報に基づきタイマー録画動作が実行されるため、放送時間が延長されている場合であっても番組全体を録画することができる。そして、最終回の録画完了後に録画予約情報蓄積部５内に蓄積されている録画予約情報が消去されるため（Ｆ１０７）、その後誤って他の番組を録画してしまうことはない。
【００２４】
次に、本発明の他の実施例に係る番組信号記録装置について説明する。なお、他の実施例に係る番組信号記録装置は、新番組が始まった際に、この新番組が始まったことをオンスクリーンディスプレイ７の作用によりユーザに伝えることを特徴としており、その構成は先に説明した実施例の構成と同一であるため、ここではその説明を省略する。
【００２５】
以下、本発明の他の実施例に係る番組信号記録装置の動作について図４を用いて説明する。ここでは、番組情報に新番組を識別するための文字情報又はフラグ等の識別情報が含まれているものとする。
【００２６】
まず、電源がオンの状態で新たに番組情報を取得する時刻になると（Ｆ２０２）、受信機１が動作状態になると共に番組情報が番組情報抽出部３で抽出され、抽出された番組情報により録画予約情報蓄積部５内の番組情報が更新される（Ｆ２０３）。
【００２７】
そして、更新された番組情報内で新番組であることを示す識別情報を検索し（Ｆ２０４）、この識別情報が検出されなければＦ２０２の処理に戻る一方、この識別情報が検出されたら、識別情報が検出された番組情報のみを抽出し、その番組のタイトルをオンスクリーンディスプレイ７の作用によりモニタで一覧表示させる（Ｆ２０５、Ｆ２０６）。
【００２８】
この時、ユーザは一覧表示される番組タイトルに基づき番組を選択し、その番組の概要を確認することが可能であり、例えば、カーソルで番組を選択することにより番組情報の一部である番組の概要が表示される。そして、抽出した番組のタイマー録画予約を行う必要がなければ、キャンセルキー等を入力することによりＦ２０２の処理に戻り、タイマー録画予約を行うのであれば、録画設定キー等を入力することにより、選択された番組の録画予約情報を生成する（Ｆ２０８）。
【００２９】
以上の如く、他の実施例に係る番組信号記録装置は、新番組が始まった際に、この新番組の番組タイトルを一覧表示し、この一覧表からタイマー録画予約手続きを行うことができるため、新番組が始まったことに気づかず、録画の機会を逃してしまうといった事態を防止できるばかりでなく、簡単な手続きで新番組のタイマー録画予約を行うことができる。
【００３０】
また、新番組の第１回目の放送分のみの時間が延長され、第２回目の放送分以降は通常の放送時間で放送される場合、第１回目の放送分は、当初設定した番組の開始終了日時に基づきタイマー録画を実行し、第２回目以降の放送分は、第１回目放送分の録画完了以降に次回の放送分の番組情報を抽出し、この番組情報に基づき録画予約情報を生成すれば良い。
【００３１】
その際、当初設定した録画予約情報には、月曜から金曜までの毎日、毎週水曜のみ等の繰り返しパターンを示す情報が含まれているため、次回放送分の番組開始終了日時を特定することができ、この次回放送分の番組の番組情報を抽出し、更に番組タイトルまでも照合した上で、録画予約情報を生成すれば、更に正確なタイマー録画予約を実行させることができる。
【００３２】
なお、以上の説明では、番組情報が放送信号に重畳して伝送される場合の例を示したが、例えば番組情報は、放送信号とは別の経路であるインターネットや電話回線を通じて入手しても良く、このような場合には、放送信号を受信する受信機と番組情報を受信する受信機とを別々に設けても良いことは言うまでもない。
【００３４】
【発明の効果】
また、請求項１に係る発明によれば、繰り返し録画すべく番組が最終回であるか否かを判別し、最終回であると判別された際には、受信部で受信した番組情報により新たに生成した録画予約情報に基づき番組の録画を行うため、最終回の放送時間が延長されている場合であっても、この最終回を確実に録画することができるという効果を奏する。
【００３５】
また、請求項２に係る発明によれば、繰り返し録画すべく番組が新番組の第１回目放送分であるか否かを判別し、第１回目放送分であると判別された際には、第２回目放送分の番組情報により生成した録画予約情報に基づき第２回目放送分以降の録画を行うため、第１回目放送分の放送時間が延長され、第２回目以降に延長がない場合であっても、各回の放送分を適切に録画できるという効果を奏する。
【図面の簡単な説明】
【図１】本発明に係る番組信号記録装置を説明するためのブロック図である。
【図２】番組情報が画面表示させた際の画面構成の一例を示す図である。
【図３】本発明の実施例に係る番組信号記録装置の動作を説明するための流れ図である。
【図４】本発明の他の実施例に係る番組信号記録装置の動作を説明するための流れ図である。
【符号の説明】
１…受信機
２…記録再生部
３…番組情報抽出部
４…制御部
５…録画予約情報蓄積部
６…ユーザインターフェイス
７…オンスクリーンディスプレイ
【図１】
0003916039.tif 000002
【図２】
0003916039.tif 000003
【図３】
0003916039.tif 000004
【図４】
0003916039.tif 000005